(57)【要約】      （修正有）【課題】給電コード不要、また重量バランスがよく水平に設置でき、発光スポットの映り込みがなく、必要範囲のみ照明できるライン型携帯作業灯を提供する。【解決手段】ライン型携帯作業灯１は、外側パイプ２と、光反射材料層を有する発光ロッド３と、発光ロッド３の光反射材料層の背後でパイプの両側端部間に保持した電池収納パイプ７と、外側パイプの両側の端部で、発光ロッド３および電池収納パイプ７の両側端部をそれぞれ支持する第１端部支持体８および第２端部支持体９と、第１および第２の端部支持体のうち一方に設けたスイッチ１１、電池１３、ＬＥＤ１０を含む電気的回路手段と、電池を出し入れするためのキャップ１４と、外側パイプを任意の構造物に安定的に設置することを可能にする設置手段としての台座手段１５またはブラケット手段とを備える。【選択図】図１
0003164393.tif 000002
【実用新案登録請求の範囲】
【請求項１】
剛性のある透明な合成樹脂製の外側パイプと、
前記外側パイプの両側端部間に保持した透明合成樹脂製の円柱状の発光ロッドであって、ほぼ円柱状のコア材料層、前記コア材料層の横断面で見て狭小幅の円弧弦断面を有して前記コア材料層の軸線方向に沿って延在する光反射性材料層、およびこれらコア材料層および光反射材料層がなす円柱体を包囲するクラッド層よりなる、該発光ロッドと、
前記発光ロッドの光反射材料層の背後で前記外側パイプの両側端部間に保持した電池収納パイプと、
前記外側パイプの両側の端部で、前記発光ロッドおよび前記電池収納パイプの両側端部をそれぞれ支持する第１端部支持体および第２端部支持体と、
前記第１および第２の端部支持体の少なくとも一方で、前記発光ロッドの少なくとも一方の端部に取り付ける少なくとも１個のＬＥＤと、
前記第１および第２の端部支持体のうち一方に設けたスイッチ、前記電池、ＬＥＤを含む電気的回路手段と、
前記第１および第２の端部支持体のうち他方に設けた、前記電池収納パイプに対して電池を出し入れするためのキャップ手段と、
前記外側パイプを任意の構造物に安定的に設置することを可能にする設置手段と
を備えたことを特徴とするライン型携帯作業灯。
【請求項２】
請求項１記載のライン型携帯作業灯において、前記設置手段は、構造物に設置するマグネット手段、フック手段、台座手段およびブラケット手段のうち少なくとも一つを有し、前記ブラケット手段は、構造物の隙間に挿入する一方の脚部分を有するＬ字状部材と、前記隙間から露出する側におけるＬ字状部材の他方の脚部分に対してする軸線方向位置を変更可能に固定する調整部材と、前記調整部材に連結し、一方の遊端に前記外側パイプを把持するグリップ部を設けたブーム部材とを有する構成とした、ライン型携帯作業灯。
【考案の詳細な説明】
【技術分野】
【０００１】
本考案は、主に夜間の作業現場で使用する作業灯に関する。
【背景技術】
【０００２】
このような夜間作業現場としては、通信ケーブルの接続または切り替え等の作業（以下、「心線処理作業」と総称する）があり、従来は、電源ボックスからコードを介して給電する投光器もしくはＬＥＤ発光器、電池パックを有するＬＥＤ発光器、またはヘルメットに装着するヘッドセットライトを使用していた。
【０００３】
ＬＥＤ発光器としては、例えば透明な合成樹脂製のパイプ内で基板上にライン状に複数個のＬＥＤを互いに離して配置したライン型携帯作業灯がある。
【考案の概要】
【考案が解決しようとする課題】
【０００４】
しかし、給電コード付きの投光器の場合、照射範囲が広すぎて近隣住民に迷惑がかかり、また給電コード付き投光器またはＬＥＤ発光器の場合、給電コードが作業の邪魔になるという欠点があり、ヘッドセットライトの場合頭を動かすたびに照明範囲が動いて作業がしずらいという欠点がある。
【０００５】
また、通信ケーブルの端子接続部を包囲するクロージャボックス（端子函）での心線処理作業のため、電池パックを有する細長のＬＥＤ発光器の場合、クロージャボックスに対して水平にして使用する場合に電池パックの重量に起因して安定が悪く、クロージャボックスに設置するのが困難である。
【０００６】
基板上にライン状に複数個のＬＥＤを互いに離して配置したライン型携帯作業灯の場合、クロージャボックス内の通信ケーブルの心線に、個別のＬＥＤが発生する発光スポットが映り込んで心線処理作業の際に各種色分けした心線の判別がしづらくなる。
【０００７】
したがって、本考案の目的は、作業に必要な範囲に適切な照明を施すことが可能であり、給電コードが不要で、また重量バランスがよく、クロージャボックスのような構造物にでも水平に設置することが容易であり、発光スポットの映り込みがない、ライン型携帯作業灯を得るにある。
【課題を解決するための手段】
【０００８】
この目的を達成するため、本考案ライン型携帯作業灯は、剛性のある透明な合成樹脂製の外側パイプと、前記外側パイプの両側端部間に保持した透明合成樹脂製の円柱状の発光ロッドであって、ほぼ円柱状のコア材料層、前記コア材料層の横断面で見て狭小幅の円弧弦断面を有して前記コア材料層の軸線方向に沿って延在する光反射性材料層、およびこれらコア材料層および光反射材料層がなす円柱体を包囲するクラッド層よりなる、該発光ロッドと、前記発光ロッドの光反射材料層の背後で前記外側パイプの両側端部間に保持した電池収納パイプと、前記外側パイプの両側の端部で、前記発光ロッドおよび前記電池収納パイプの両側端部をそれぞれ支持する第１端部支持体および第２端部支持体と、前記第１および第２の端部支持体の少なくとも一方で、前記発光ロッドの少なくとも一方の端部に取り付ける少なくとも１個のＬＥＤと、前記第１および第２の端部支持体のうち一方に設けたスイッチ、前記電池、ＬＥＤを含む電気的回路手段と、前記第１および第２の端部支持体のうち他方に設けた、前記電池収納パイプに対して電池を出し入れするためのキャップ手段と、前記外側パイプを任意の構造物に安定的に設置することを可能にする設置手段とを備えた、ことを特徴とする。
【考案の効果】
【０００９】
本考案によれば、外側パイプ内に、発光ロッドの光反射材料層の背後で発光ロッドに平行に電池収納パイプを配置した構成により、電池の重量が偏ることなく外側パイプの軸線方向に沿って分散されるため、重量バランスがよくなり、ライン型携帯作業灯を、例えば、クロージャボックスのような構造物にでも、水平に設置することが容易となる。
【００１０】
また、本考案における上述した構成の発光ロッドによれば、外側パイプ内に複数個のＬＥＤを列状に配置したライン型携帯作業灯のようにＬＥＤによる発光スポットが心線処理作業の際に各種色分けした色付き心線に映り込んで見ずらくなるということがなく、全体的に照明することができる。
【００１１】
本考案の好適な実施形態においては、前記設置手段は、構造物に設置するマグネット手段、フック手段、台座手段およびブラケット手段のうち少なくとも一つを有し、前記ブラケット手段は、構造物の隙間に挿入する一方の脚部分を有するＬ字状部材と、前記隙間から露出する側におけるＬ字状部材の他方の脚部分に対してする軸線方向位置を変更可能に固定する調整部材と、前記調整部材に連結し、一方の遊端に前記外側パイプを把持するグリップ部を設けたブーム部材とを有する構成とする。
以下に図面につき、本考案の好適な実施形態を説明する。
【図面の簡単な説明】
【００１２】
【図１】本考案によるライン型携帯作業灯の実施形態を示し、ａ）は斜視図、ｂ）線図的断面図、ｃ）回路図である。
【図２】本考案によるライン型携帯作業灯の外側パイプにおける拡大横断面図である。
【図３】本考案によるライン型携帯作業灯を、設置手段としてのブラケット手段により開放したクロージャボックスに設置し、クロージャボックス内における通信ケーブルの心線処理作業を行うときの状態を示す線図的側面図である。
【考案を実施するための形態】
【００１３】
図１に本考案の好適な実施形態としてのライン型携帯作業灯１を示す。本考案によるライン型携帯作業灯１は、剛性のある透明な合成樹脂製の外側パイプ２と、外側パイプ２の両側端部間に保持した透明合成樹脂製の円柱状の発光ロッド３を有する。
【００１４】
発光ロッド３は、図２に示すように、ほぼ円柱状のコア材料層４、このコア材料層４の横断面で見て狭小幅の円弧弦断面を有してコア材料層４の軸線方向に沿って延在する光反射性材料層５、およびこれらコア材料層４および光反射材料層５がなす円柱体を包囲するクラッド層６により構成する。
【００１５】
ライン型携帯作業灯１は、さらに、発光ロッド３の光反射材料層５の背後で外側パイプ２の両側端部間に保持した電池収納パイプ７と、外側パイプ２の両側の端部で、発光ロッド３および電池収納パイプ７の両側端部をそれぞれ支持する第１端部支持体８および第２端部支持体９とを有する。
【００１６】
第１および第２の端部支持体の少なくとも一方で、発光ロッドの少なくとも一方の端部にそれぞれ少なくとも１個のＬＥＤ１０を取り付ける。図示の実施形態では、両側の端部にそれぞれ１個のＬＥＤ１０を設ける。このＬＥＤ１０は白色の発光ダイオードとする。
【００１７】
第１および第２の端部支持体８，９のうち一方に（図示の実施形態では、第１端部支持体８）に、ＬＥＤを点灯させるためのスイッチ１１および回路素子（例えば、抵抗）１２を設ける。電池収納パイプ７には電池１３を収納する。ＬＥＤ１０、スイッチ１１，回路素子１２、および電池１３は、電気的回路を形成する。
【００１８】
第１および第２の端部支持体のうち他方（図示の実施形態では、第２端部支持体９）には、電池収納パイプ７に対して電池１３を出し入れするためのキャップ１４を設ける。さらに、ライン型携帯作業灯１には、外側パイプ２を任意の構造物に安定的に設置することを可能にする設置手段を備える。
【００１９】
設置手段として、第１端部支持体８および第２端部支持体９の少なくとも一方に台座手段１５を設けることができる。設置手段は、端部支持体８または９の少なくとも一方または台座手段１５に設ける、図示しないマグネット手段、フック手段により構成することもできる。
【００２０】
さらに、設置手段としては、構造物の隙間に挿入するブラケット手段１６により構成し、このブラケット手段１６は、構造物の隙間に挿入する脚部分１７Ａを有するＬ字状部材１７と、隙間から露出する側におけるＬ字状部材の他方の脚部分１７Ｂに対してする軸線方向位置を変更可能に固定する調整部材１８と、調整部材１８に連結し、一方の遊端に外側パイプ２を把持するグリップ部１９Ａを設けたブーム部材１９とを有する構成とすることができる。ブーム部材１９は、自由に曲げることができ、曲げた状態を保持できる状態保持性を有する可撓ブームにより構成すると好適である。
外側パイプ２をグリップ部１９Ａ内で周方向に回転させる、またはブーツ部部材１９を曲げることにより、外側パイプの投光範囲を調整することができ、作業に必要な範囲に適切な照明を施すことができる。
【００２１】
図３には、クロージャボックス２０の回動開閉可能な蓋２１を開放し、固定ボックス本体２２に存在する隙間にＬ字状部材１７の脚部分１７Ａを挿入し、調整部材１８を他方の脚部分１７Ｂに対して軸線方向の位置を調整して固定し、調整部材１８の端部を蓋２１に係合させ、所望の開放状態に保持したブラケット手段１６を示す。
【００２２】
図３に示すように、このブラケット手段１６のグリップ部１９Ａにより、本考案よるライン型携帯作業灯の外側パイプ２を把持し、クロージャボックス２０内における通信ケーブルの心線処理作業を行う。
【００２３】
本考案によれば、外側パイプ２内に、発光ロッド３の光反射材料層５の背後で発光ロッド３に平行に電池収納パイプ７内に電池を配置する構成により、電池の重量が偏ることなく外側パイプ２の軸線方向に沿って分散されるため、重量バランスがよくなり、ライン型携帯作業灯１を、例えば、クロージャボックス２０のような構造物にでも、設置手段としてのブラケット手段１６を使用して、外側パイプ２を水平に設置することが容易となる。
また、発光ロッド３の少なくとも一方の端部に設けた少なくとも１個のＬＥＤ１０により発生する光が、発光ロッド３の光反射性材料層５によって、裏面の電池収納パイプ７側とは反対側の前面を、光源スポットが被照明箇所に映り込むことなく、全体的に照明することができる。
【符号の説明】
【００２４】
１  ライン型携帯作業灯
２  外側パイプ
３  発光ロッド
４  コア材料層
５  光反射性材料層
６  クラッド層
７  電池収納パイプ
８  第１端部支持体
９  第２端部支持体
１０  ＬＥＤ
１１  スイッチ
１２  回路素子（抵抗）
１３  電池
１４  キャップ
１５  台座手段
１６  ブラケット手段
１７  Ｌ字状部材
１７Ａ  Ｌ字状部材の脚部分
１７Ｂ  Ｌ字状部材の脚部分
１８  調整部材
１９  ブーム部材
１９Ａ  グリップ部
２０  クロージャボックス
２１  蓋
２２  固定ボックス本体
【図１】
0003164393.tif 000003
【図２】
0003164393.tif 000004
【図３】
0003164393.tif 000005